(57)【要約】【課題】液体洗浄剤組成物による洗浄効果を高めることができる硬質表面洗浄用物品を提供すること。【解決手段】トリガー式のスプレー容器１と、該スプレー容器１内に収容されている液体洗浄剤組成物とからなる硬質表面洗浄用物品であって、スプレー容器１は、液体洗浄剤組成物を泡にしてスプレー可能であり、スプレーされた泡の泡比容が１５ｍＬ／ｇ以上である。液体洗浄剤組成物は、好ましくはアニオン界面活性剤及び水を含有するか、両性界面活性剤を含有する。【選択図】図１
2017214464.tif 000002
【特許請求の範囲】
【請求項１】
トリガー式のスプレー容器と、該スプレー容器内に収容されている液体洗浄剤組成物とからなる硬質表面洗浄用物品であって、
前記スプレー容器は、前記液体洗浄剤組成物を泡にしてスプレー可能であり、スプレーされた泡の泡比容が１５ｍＬ／ｇ以上である、硬質表面洗浄用物品。
【請求項２】
前記液体洗浄剤組成物は、アニオン界面活性剤及び水を含有する、請求項１に記載の硬質表面洗浄用物品。
【請求項３】
前記液体洗浄剤組成物は、両性界面活性剤を含有する、請求項１又は２に記載の硬質表面洗浄用物品。
【請求項４】
前記液体洗浄剤組成物は、溶剤の含有量が、０．５質量％以上３０質量％以下である、請求項１〜３の何れか１項に記載の硬質表面洗浄用物品。
【請求項５】
前記液体洗浄剤組成物は、下記（ａ）成分、（ｂ）成分０質量％以上３質量％未満、（ｃ）成分、及び水を含有し、（ｂ）成分／［（ａ）成分＋（ｂ）成分＋（ｃ）成分］の質量比が０．３以下である、請求項１〜４の何れか１項に記載の硬質表面洗浄用物品。
＜（ａ）成分＞
下記一般式（ａ１）で表されるスルホコハク酸エステル又はその塩
【化１】
2017214464.tif 000007
〔式中、Ｒ１ａ、Ｒ２ａは、それぞれ独立して、炭素数５以上１８以下の炭化水素基である。Ａ１、Ａ２はそれぞれ独立に炭素数２以上４以下のアルキレン基、ｘ、ｙは平均付加モル数でありそれぞれ独立に０以上６以下である。Ｍ１は水素原子又は陽イオンである。〕
＜（ｂ）成分＞
炭素数８以上２１以下の炭化水素基と、硫酸エステル基又はスルホン酸基とを有するアニオン界面活性剤〔但し、（ａ）成分を除く〕
＜（ｃ）成分＞
スルホベタイン及びカルボベタインから選ばれる１種以上の両性界面活性剤
【請求項６】
泡として吐出された前記液体洗浄剤組成物は、硬質表面への密着時間が２０秒以上である、請求項１〜５の何れか１項に記載の硬質表面洗浄用物品。
【請求項７】
前記スプレー容器が、蓄圧タイプのスプレイヤーを備えたスプレー容器である、請求項１〜６の何れか１項に記載の硬質表面洗浄用物品。
【請求項８】
前記スプレー容器が、泡吐出口の近傍に、前記液体洗浄剤組成物と混合して泡を生じさせるための空気を取り込むための孔又は溝を備える、請求項１〜７の何れか１項に記載の硬質表面洗浄用物品。
【請求項９】
１回の吐出操作で吐出される液体洗浄剤組成物の質量が１ｇ未満である、請求項１〜８の何れか１項に記載の硬質表面洗浄用物品。
【請求項１０】
台所周りの硬質物品洗浄用である、請求項１〜９の何れか１項に記載の硬質表面洗浄用物品。
【発明の詳細な説明】
【技術分野】
【０００１】
本発明は、硬質表面洗浄用物品に関する。
【背景技術】
【０００２】
周知のように、容器本体の口部にトリガー式スプレイヤーが装着されたスプレー容器（トリガー式のスプレー容器）には、トリガーを引いて、シリンダー内の空気を外に排出し、トリガーを戻した際に液状物内に浸したチューブを通じて該液状物を吸い上げ、上記シリンダー内に液状物を満たし、再びトリガーを引くことにより、該シリンダー内の液状物を押し出して垂直管路に導き、更に水平管路、スピンエレメントを通じて液状物の流れにスピンを与え、最後にノズルから噴出するタイプのものがある。
斯かるトリガー式のスプレー容器は、食器、浴槽、窓ガラス等の洗剤や、かびとり剤等のさまざまな液状物の容器として用いられており、洗浄剤組成物やかびとり剤を収容するものには、洗浄対象物上からの液だれの防止や洗浄対象物上に滞留する時間を延ばして洗浄効果を高める等の観点から、内部に収容された洗浄剤組成物を空気と混合し泡にしてスプレーするものも知られている（特許文献１参照）。
【０００３】
ところで、浴槽の洗浄に用いる浴槽洗浄用物品として、スプレー容器と、該スプレー容器内に収容されている液体洗浄剤組成物とを備え、浴槽に直接スプレーした後、洗い流すだけで洗浄が可能なものが提案されている。
しかし、洗浄対象物に強固にこびりついた汚れ、例えば、食器にこびりついた油汚れは、上記のように機械的な力を加えない洗浄方法では十分に洗浄できない場合がある。
【先行技術文献】
【特許文献】
【０００４】
【特許文献１】特開平８−１９８３０１号公報
【発明の概要】
【発明が解決しようとする課題】
【０００５】
上述のように、機械的な力を加えない洗浄方法では十分に洗浄できない場合、例えば、食器類に強固に付着した油汚れを洗浄する場合には、食器類を食器用洗剤水浴に浸け置く、約４０℃〜４５℃のお湯を使用する、又は２度洗いをするなどの工夫を施した洗浄方法が用いられる。しかし、このような工夫をしなくても、できるだけ機械的な力を加えない洗浄のみで充分な洗浄効果が得られれば、家事の労力の軽減、水の消費量の削減等が可能である。
【０００６】
本発明の課題は、液体洗浄剤組成物による洗浄効果を高めることができる、硬質表面洗浄用物品を提供することに関する。
【課題を解決するための手段】
【０００７】
本発明は、トリガー式のスプレー容器と、該スプレー容器内に収容されている液体洗浄剤組成物とからなる硬質表面洗浄用物品であって、前記スプレー容器は、前記液体洗浄剤組成物を泡にしてスプレー可能であり、スプレーされた泡の泡比容が１５ｍＬ／ｇ以上である、硬質表面洗浄用物品を提供するものである。
【発明の効果】
【０００８】
本発明の硬質表面洗浄用物品によれば、液体洗浄剤組成物による洗浄効果を高めることができ、例えば、機械的な力を加えない洗浄による洗浄効果を大幅に向上させることができる。
【図面の簡単な説明】
【０００９】
【図１】本発明の硬質表面洗浄用物品の一実施形態におけるスプレー容器の要部を示す側断面図である。
【図２】図１に示すスプレー容器のスピンエレメントをその先端側から視た状態を示す図である。スピンエレメントの先端は、スピンエレメントの軸方向の両端のうち、泡を突出するノズル部に近い側である。
【発明を実施するための形態】
【００１０】
以下、本発明をその好ましい実施形態に基づいて説明する。
本実施形態の硬質表面洗浄用物品は、トリガー式のスプレー容器１と、スプレー容器内に収容されている液体洗浄剤組成物（図示せず）とからなる。
本発明に用いるスプレー容器は、トリガー式のスプレー容器である。トリガー式のスプレー容器は、図１に示すスプレー容器１のように、液体洗浄剤組成物である液状物が充填された有底の容器本体２の口部に、前記液状物を噴出するトリガー式のスプレイヤー３が装着された構成を有するものであり、一般に、トリガー４を引いて、シリンダー９内の空気を外に排出し、トリガー４を戻した際に液状物内に浸したチューブ７を通じて前記液状物を吸い上げ、シリンダー９内に該液状物を満たし、再びトリガー４を引くことにより、シリンダー９内の液状物を押し出して垂直管路６に導き、更に水平管路８、スピンエレメント１０を通じて液状物の流れにスピンを与え、その液状物が、ノズル部１１から噴射される。
【００１１】
本実施形態に用いたスプレー容器のより具体的な構成について、図１を参照しつつ説明すると、スプレー容器１は、液状物が充填された有底の容器本体２の口部に、液状物を噴出するトリガー式のスプレイヤー３が、螺合等により脱着可能又は脱着不可能に装着された構成を有している。スプレイヤー３は、トリガー４を引いて容器本体２内に充填された液状物を噴出するスプレイヤー本体５を主体として構成されており、このスプレイヤー本体５内には、垂直管路６、及び該垂直管路６に連通する水平管路８が形成されている。水平管路８の下方位置には、シリンダー９を構成する筒状壁部９１が形成されていると共に、このシリンダー９内を摺動するピストン部材９２が配設されている。そして、ピストン部材９２を押圧するトリガー４が、スプレイヤー本体５の側壁部に回動自在に嵌着されている。図１中に一点鎖線で示す小円４１は、スプレイヤー本体５の側壁部に設けられたトリガー４の回動軸の位置を示す。またトリガー４は、板バネ、コイルばね等の付勢手段（図示せず）により、容器本体２の口部から離れる方向に常時付勢されている。
本明細書において、上方及び下方は、スプレー容器１を水平面上に載置したときの鉛直方向の上方又は下方である。
【００１２】
シリンダー９は、第１の逆止弁９３及び第２の逆止弁９４を有している。第１の逆止弁９３は、チューブ７側の流路からの液状物の流入を許容する一方、トリガー４を引いた際の該流路への液状物の逆戻りを阻止し、第２の逆止弁９４は、水平管路８側の流路への液状物の流出を許容する一方、トリガー４を戻した際の該流路からの液状物の逆戻りを阻止する。
スピンエレメント１０は、円柱状をなし、図２に示すように、周囲にその軸方向に延びる複数本の溝部１０ａを有している。ノズル部１１側に配された先端部に、円柱状の凹部１０ｂ及び該凹部１０ｂと各溝部１０ａとの間を繋ぐ溝部１０ｃを有している。溝部１０ｃが、凹部１０ｂの中央からずれた場所に接続されていることによって、凹部１０ｂ内の液状物の流れにスピンが与えられ、スピンが与えられた液状物が、スピンエレメント１０の先端部に近接配置された噴射口形成部材１１ａに設けられた噴射口１１ｂから円錐状に噴射される。噴射口形成部材１１ａは、その先端部に取り付けられたフォーマー部材１１ｃとともにノズル部１１を形成している。フォーマー部材１１ｃと噴射口形成部材１１ａとの間には、円錐状に噴射される液状物の裏側に内側開口部を有し、噴射口形成部材１１ａの先端に外側開口部を有する空気取り込み用の孔又は溝１１ｄが形成されている。この空気取り込み用の孔又は溝１１ｄを介して取り込まれる空気が円錐状に噴射される液状物と混合されることにより、液状物としての洗浄剤組成物が泡となって泡吐出口１１ｅから噴射される。
【００１３】
図１に示すスプレー容器１のスプレイヤー３は、蓄圧タイプのスプレイヤーである。蓄圧タイプのスプレイヤーとは、トリガー４を操作しても、シリンダー９内の液圧が所定の液圧に達するまではノズル部１１からの液状物の噴射は生じず、シリンダー９内の液圧が所定の液圧以上に高めたときに、液状物が噴射されるように構成したものである。
図１に示すスプレイヤー３は、シリンダー９内の圧力が所定の液圧以上に高められたときに初めて噴射が生じるようにするために、蓄圧部材１２を備えている。蓄圧部材１２は、円筒状の内壁面を有するシリンダー１３と、シリンダー１３内に配され、シリンダー１３の中心軸に沿って上下動する弁部材１４とを有しておる。弁部材１４は、コイルばね等の付勢手段１５により常時上方に向けて付勢されており、トリガー４の非操作時には、図１に示すように、弁部材１４の上端に形成された栓体１４ａが、下流側流路への流出口１３ａを閉鎖している。栓体１４ａの下方には、外周部がシリンダー１３の内壁面に摺接するプランジャー部１４ｂが連設されており、プランジャー部１４ｂの下面には、小径筒状部１４ｃが連設されている。栓体１４ａの下端部には、小径筒状部１４ｃから栓体１４ａの周囲へと流れる液の流路１４ａ’が形成されている。
【００１４】
シリンダー９内に液状物が満たされている状態で、トリガー４を操作すると、第１の逆止弁９３が閉状態、第２の逆止弁９４が開状態となって、シリンダー９内の液状物が、液入口１３ｂから蓄圧部材１２内に送り込まれる。それにより、シリンダー１３内に存在する液状物の液圧が上昇する。プランジャー部１４ｂの上面の面積は、栓体１４ａの下面の面積より広くなっており、その面積差に起因し、液状物の液圧は、弁部材１４を押し下げる力として作用する。引き続きトリガー４を引く操作を継続すると、シリンダー９及びシリンダー１３内の液圧は更に高まり、弁部材１４を押し下げる力が、付勢手段１５の押し上げる力より大きくなる。それにより、弁部材１４が下降し、栓体１４ａにより閉鎖されていた流出口１３ａが開放され、ノズル部１１から、液状物が吐出される。
他方、トリガー４を最終位置まで引き終わると、シリンダー９及びシリンダー１３内の液圧が低下し、弁部材１４を押し下げる力が、付勢手段１５の押し上げる力より小さくなることにより、弁部材１４が上昇し、栓体１４ａにより流出口１３ａが再び閉鎖される。
【００１５】
本発明の硬質表面洗浄用物品は、液体洗浄剤組成物を泡にしてスプレー可能であり、スプレーされた泡の泡比容が１５ｍＬ／ｇ以上であることが一つの特長である。
液体洗浄剤組成物を泡にしてスプレーしたときに、スプレーされた泡の泡比容が、１５ｍＬ／ｇ以上であることによって、硬質表面に付着した汚れ、とりわけ油汚れに対する洗浄力が向上する。斯かる観点から、スプレーされた泡の泡比容は、好ましくは２０ｍＬ／ｇ以上、より好ましくは２５ｍＬ／ｇ以上であり、また、スプレーの容易性の観点から、スプレーされた泡の泡比容は、好ましくは８０ｍＬ／ｇ以下、より好ましくは６０ｍＬ／ｇ以下である。油汚れに対する洗浄力の向上及びスプレーの容易性の観点から、スプレーされた泡の泡比容は、好ましくは１５ｍＬ／ｇ以上８０ｍＬ／ｇ以下、より好ましくは２０ｍＬ／ｇ以上６０ｍＬ／ｇ以下、さらに好ましくは２５ｍＬ／ｇ以上６０ｍＬ／ｇ以下である。
スプレーされた泡の泡比容の測定方法は、実施例において後述する。
【００１６】
泡の泡比容が１５ｍＬ／ｇ以上であることによって、硬質表面に対する密着性が向上し、硬質表面に付着した油汚れに対する洗浄力が向上する。
また、同じ液体洗浄剤組成物を使用した場合に比べて広範囲にスプレーでき、またスプレー回数を減らすことができることから、使用性が向上する。
【００１７】
スプレーされた泡の泡比容を１５ｍＬ／ｇ以上とするには、トリガー式のスプレー容器として、蓄圧タイプのスプレイヤーを備えたスプレー容器を用いることが好ましい。蓄圧タイプのスプレイヤーを備えたスプレー容器としては、前述したスプレー容器１を用いることができるが、それに限られるものではなく、各種公知のものを用いることができる。例えば、特開平９−１２２５４７号公報、特開平９−３０８８４３号公報、特開平１０−１７４９１１号公報に記載のもの等を用いることができる。公知の蓄圧タイプのスプレイヤーのうち、液状物を霧状にスプレーするものについては、ノズル部を、泡を吐出可能なノズル部に交換して用いる。泡を吐出可能なノズル部としては、前述したスプレー容器１のノズル部１１、特開２００４−２９０９４３号公報の図１に記載のもの、特開２００７−１６７７１９号公報の図２に記載のもの等を用いることもできる。
【００１８】
本発明の硬質表面洗浄用物品に用いる液体洗浄剤組成物は、スプレー容器との組み合わせで、前述した泡の泡比容が１５ｍＬ／ｇ以上の泡をスプレーできる限り特に制限されるものではないが、泡比容が１５ｍＬ／ｇ以上の泡、あるいは前述したより好ましい泡比容の泡が形成されるようにする観点、及び／又は油汚れに対する液体洗浄剤組成物自体の洗浄力を増大させる観点から、以下の硬質表面用液体洗浄剤組成物を用いることが好ましい。以下の硬質表面用液体洗浄剤組成物は、泡比容が１５ｍＬ／ｇ以上であるか否かに拘わらずに、油汚れに対する洗浄力が高いが、泡比容を特定の範囲とすることで硬質表面に対する洗浄効果が一層向上する。
【００１９】
本発明の硬質表面洗浄用物品に用いる液体洗浄剤組成物は、界面活性剤及び水を含有している。泡比容を調整する観点から、界面活性剤は、アニオン界面活性剤を含むことが好ましい。分岐鎖炭化水素基を有するアニオン界面活性剤であることがより好ましい。
また、同観点から、液体洗浄剤組成物は、両性界面活性剤を含有することが好ましい。両性界面活性剤としては、アミンオキサイド、スルホベタイン及びカルボベタインから選ばれる１種以上の両性界面活性剤が挙げられる。
また、洗浄力を高める観点から、界面活性剤にノニオン界面活性剤を含むことが好ましい。その他の界面活性剤として、カチオン界面活性剤が挙げられる。
また、本発明に用いる液体洗浄剤組成物は、次に説明する特定硬質表面用液体洗浄剤組成物に関する（ａ）〜（ｈ）成分の中から選択される１又は２以上の成分を含んでいても良く、配合量も後述する各成分の配合量とすることもできる。
【００２０】
本発明の硬質表面洗浄用物品に用いる液体洗浄剤組成物としては、以下に示す「特定硬質表面用液体洗浄剤組成物」を用いることが好ましい。特定硬質表面用液体洗浄剤組成物は、特に油汚れに対する洗浄力に優れている。
【００２１】
＜特定硬質表面用液体洗浄剤組成物＞
下記（ａ）成分、（ｂ）成分０質量％以上３質量％未満、（ｃ）成分、及び水を含有し、（ｂ）成分／［（ａ）成分＋（ｂ）成分＋（ｃ）成分］の質量比が０．３以下である、硬質表面用液体洗浄剤組成物。
＜（ａ）成分＞
下記一般式（ａ１）で表されるスルホコハク酸エステル又はその塩
【化１】
2017214464.tif 000003
〔式中、Ｒ１ａ、Ｒ２ａは、それぞれ独立して、炭素数５以上１８以下の炭化水素基である。Ａ１、Ａ２はそれぞれ独立に炭素数２以上４以下のアルキレン基、ｘ、ｙは平均付加モル数でありそれぞれ独立に０以上６以下である。Ｍ１は水素原子又は陽イオンである。〕
＜（ｂ）成分＞
炭素数８以上２１以下の炭化水素基と、硫酸エステル基又はスルホン酸基とを有するアニオン界面活性剤〔但し、（ａ）成分を除く〕
＜（ｃ）成分＞
スルホベタイン及びカルボベタインから選ばれる１種以上の両性界面活性剤  
【００２２】
＜（ａ）成分＞
特定硬質表面用液体洗浄剤組成物における（ａ）成分は、下記一般式（ａ１）で表されるスルホコハク酸エステル又はその塩である。
【００２３】
【化２】
2017214464.tif 000004
【００２４】
〔式中、Ｒ１ａ、Ｒ２ａは、それぞれ独立して、炭素数５以上１８以下の炭化水素基である。Ａ１、Ａ２はそれぞれ独立に炭素数２以上４以下のアルキレン基、ｘ、ｙは平均付加モル数でありそれぞれ独立に０以上６以下である。Ｍ１は水素原子又は陽イオンである。〕
【００２５】
一般式（ａ１）中、Ｒ１ａ、Ｒ２ａは、それぞれ独立に、炭素数５以上、好ましくは６以上、より好ましくは７以上、そして、炭素数１８以下、好ましくは１６以下、さらに好ましくは１４以下の炭化水素基、好ましくは直鎖又は分岐鎖のアルキル基である。Ｒ１ａ、Ｒ２ａは、それぞれ独立に、より好ましくは分岐構造を有するアルキル基である。
一般式（ａ１）中、Ａ１、Ａ２は、それぞれ独立に、炭素数２以上、そして、炭素数４以下、好ましくは３以下のアルキレン基である。
一般式（ａ１）中、ｘ、ｙは、平均付加モル数であり、洗浄力の観点から、それぞれ独立に、０以上、そして、６以下、好ましくは４以下、より好ましくは２以下であり、０がより好ましい。
また、ｘ＋ｙは、洗浄力の観点から、好ましくは０以上、そして、好ましくは１２以下であり、より好ましくは６以下、さらに好ましくは３以下であり、さらに好ましくは０である。
【００２６】
一般式（ａ１）中、Ｒ１ａ、Ｒ２ａは、それぞれ、好適にはヘキシル基、オクチル基、ノニル基、デシル基、ドデシル基、トリデシル基、テトラデシル基、２−エチルヘキシル基、ｎ−オクチル基、ｓｅｃ−オクチル基、イソペンチル基、イソノニル基、イソデシル基、シクロヘキシル基から選ばれるアルキル基であり、特にｎ−オクチル基、ｓｅｃ−オクチル基、デシル基、イソデシル基、及び２−エチルヘキシル基から選ばれるアルキル基であることが好適であり、中でも２−エチルヘキシル基、トリデシル基が好ましく、さらに２−エチルヘキシル基が好ましい。
【００２７】
一般式（ａ１）中、Ｍ１は、水素原子、あるいはナトリウムイオン、アンモニウムイオン、カリウムイオン、マグネシウムイオン等の無機陽イオン、モノエタノールアミン、ジエタノールアミン、トリエタノールアミン、モルホリンの酸塩等の有機陽イオンであるが、好ましくはナトリウムイオン、アンモニウムイオン、カリウムイオン、及びマグネシウムイオンから選ばれる無機陽イオンである。
【００２８】
（ａ）成分は、Ｒ１ａ、Ｒ２ａが同一の化合物の調製方法としては、特に限定されるものではないが、例えば米国特許明細書第２，０２８，０９１号公報に記載の方法を参考して製造することができ、また、Ｒ１ａ、Ｒ２ａが異なる非対称の化合物は、例えば特開昭５８−２４５５５号公報を参考して製造することができる。市販の化合物を用いる場合には、花王（株）製ペレックスＯＴ−Ｐ（Ｒ１ａ、Ｒ２ａが共に２−エチルヘキシル基である化合物）、同ペレックスＴＲ（Ｒ１ａ、Ｒ２ａが共にトリデシル基である化合物）、ＢＡＳＦ社製ＬｕｅｎｓｉｔＡ−ＢＯ（Ｒ１ａ、Ｒ２ａが共に２−エチルヘキシル基である化合物）、東邦化学工業（株）製エアロールＣＴ−１Ｌ（Ｒ１ａ、Ｒ２ａが共に２−エチルヘキシル基である化合物）、三井サイテック株式会社から入手可能であったエアロゾルＡＹ−１００（Ｒ１ａ、Ｒ２ａが共にアミル基である化合物）、同エアロゾルＡ−１９６（Ｒ１ａ、Ｒ２ａが共にシクロヘキシル基である化合物）などを用いることができる。
（ａ）成分の原料として、所定炭素数のアルコールにアルキレンオキシドを付加したものを用いることもできる。
【００２９】
特定硬質表面用液体洗浄剤組成物は、（ａ）成分を、洗浄力の観点から、好ましくは０．５質量％以上、より好ましくは０．８質量％以上、さらに好ましくは１質量％以上、よりさらに好ましくは１．５質量％以上、よりさらに好ましくは１．７質量％以上、そして、原料コストを低減する観点から、好ましくは３０質量％以下、より好ましくは２０質量％以下、さらに好ましくは１５質量％以下、よりさらに好ましくは１０質量％以下、よりさらに好ましくは８質量％以下、よりさらに好ましくは５質量％以下、よりさらに好ましくは３質量％以下、含有する。
なお、本明細書において、（ａ）成分に係る質量に関する記述（質量％や質量比）は、Ｍ１をナトリウムと仮定したときの質量（ナトリウム塩換算での比率）に基づくものとする。
【００３０】
＜（ｂ）成分＞
特定硬質表面用液体洗浄剤組成物の（ｂ）成分は、炭素数８以上２１以下の炭化水素基と、硫酸エステル基又はスルホン酸基とを有するアニオン界面活性剤〔但し、（ａ）成分を除く〕である。
【００３１】
（ｂ）成分の炭化水素基としては、洗浄力の観点から、炭素数が８以上、好ましくは１０以上、より好ましくは１２以上、そして２１以下、好ましくは１８以下、より好ましくは１４以下、更に好ましくは１２以下のアルキル基又はアリール基が好ましい。
【００３２】
（ｂ）成分のアニオン界面活性剤としては、アルキル硫酸エステル塩、ポリオキシアルキレンアルキルエーテル硫酸エステル塩、及びアルカンスルホン酸塩から選ばれる一種以上が好ましい。
【００３３】
硫酸エステル基を有する前記アニオン界面活性剤として、洗浄力の観点から、炭素数が８以上、好ましくは１０以上、そして２１以下、好ましくは１８以下、より好ましくは１４以下、更に好ましくは１２以下の直鎖又は分岐鎖のアルキル基を有するアルキル硫酸エステル塩が好適である。
また、硫酸エステル基を有する前記アニオン界面活性剤として、洗浄力の観点から、炭素数は、８以上、好ましくは１０以上、そして２１以下、好ましくは１８以下、より好ましくは１４以下、更に好ましくは１２以下の直鎖又は分岐鎖のアルキル基を有し、炭素数２以上３以下のオキシアルキレン基の平均付加モル数が好ましくは０．１以上、より好ましくは０．３以上、さらに好ましくは０．４以上、そして、好ましくは６以下、より好ましくは３以下、さらに好ましくは１．５以下であるポリオキシアルキレン基を有するポリオキシアルキレンアルキルエーテル硫酸エステル塩が好適である。
また、スルホン酸基を有する前記アニオン界面活性剤として、洗浄力の観点から、炭素数６以上１５以下のアルキル基を有するアルキルベンゼンスルホン酸塩、及び炭素数８以上、好ましくは１０以上、そして２１以下、好ましくは１８以下、より好ましくは１４以下、更に好ましくは１２以下のアルカンスルホン酸塩から選ばれる１種以上のアニオン界面活性剤が好適である。
【００３４】
（ｂ）成分のアニオン界面活性剤の塩として、ナトリウム塩、アンモニウム塩、カリウム塩、マグネシウム塩等から選ばれる無機塩、モノエタノールアンモニウム塩、ジエタノールアンモニウム塩、トリエタノールアンモニウム塩、モノホリン塩等から選ばれる有機アンモニウム塩が好適である。
【００３５】
（ｂ）成分としては、下記一般式（ｂ１）の化合物が配合安定性と泡立ち性の観点から好適である。
Ｒ１ｂ−Ｏ−（Ｒ２ｂＯ）ｎ−ＳＯ３Ｍ２      （ｂ１）
〔式中、Ｒ１ｂは、炭素数８以上２１以下の直鎖又は分岐鎖のアルキル基であり、Ｒ２ｂは、エチレン基及び／又はプロピレン基であり、ｎは平均付加モル数であり０以上６以下の数である。Ｍ２は水素原子又は陽イオン、好ましくは無機又は有機の陽イオンである。〕
【００３６】
一般式（ｂ１）中、Ｒ１ｂは、洗浄力の観点から、炭素数８以上、好ましくは１０以上、そして２１以下、好ましくは１８以下、より好ましくは１４以下、さらに好ましくは１２以下の直鎖又は分岐鎖のアルキル基であり、好ましくは直鎖アルキル基である。具体的には、Ｒ１ｂは、オクチル基、デシル基、ドデシル基、トリデシル基、及びテトラデシル基から選ばれるアルキル基が好ましく、ドデシル基がより好ましい。
【００３７】
一般式（ｂ１）中、ｎは、洗浄力の観点から、好ましくは０．１以上、より好ましくは０．３以上、さらに好ましくは０．４以上、そして、好ましくは６以下、より好ましくは３以下、さらに好ましくは１．５以下の数である。
一般式（ｂ１）中、Ｒ２ｂがエチレン基の場合には、洗浄力の観点から、ｎは、好ましくは０．１以上の数、より好ましくは０．５以上、また好ましくは６以下、より好ましくは３以下の数である。
また、一般式（ｂ１）中、Ｒ２ｂがプロピレン基の場合には、洗浄力の観点から、ｎは、好ましくは０．１以上、より好ましくは０．２以上、さらに好ましくは０．４以上の数であり、また好ましくは１．５以下、より好ましくは１．０以下、さらに好ましくは０．８以下の数である。
また、一般式（ｂ１）中、Ｒ２ｂがエチレン基及びプロピレン基の場合には、ｎは、これらの範囲からそれぞれ選択できる。
【００３８】
一般式（ｂ１）中、Ｍ２は、水素原子、あるいはナトリウムイオン、アンモニウムイオン、カリウムイオン、マグネシウムイオン等の無機陽イオン、モノエタノールアンモニウムイオン、ジエタノールアンモニウムイオン、トリエタノールアンモニウムイオン、モルホリン等の有機陽イオンが挙げられ、好ましくはナトリウムイオン、カリウムイオン、アンモニウムイオン、マグネシウムイオンの無機陽イオンである。
【００３９】
一般式（ｂ１）の化合物の調製方法としては、特に限定されるものではないが、例えばＲ１ｂ−ＯＨで示される脂肪アルコールに目的に応じてエチレンオキシド及び／又はプロピレンオキシドを所定量付加させた後、三酸化硫黄（液体又は気体）、三酸化硫黄含有ガス、発煙硫酸、クロルスルホン酸から選ばれる硫酸化剤で硫酸エステル化し、所定のアルカリ剤で中和して製造される。エチレンオキシド（以下、ＥＯと表記する）及び／又はプロピレンオキシド（以下、ＰＯと表記する）の付加反応は触媒が必要でありＮａＯＨ、ＫＯＨなどの水酸化アルカリを用いることができる。また、特開平８−３２３２００号公報に記載の酸化マグネシウムを主成分とする触媒を用いることができ、前者は付加モル数分布が比較的広いポリオキシエチレンアルキルエーテルを得ることができ、後者は比較的狭い付加モル数分布を有する化合物を得ることができる。また、特開平１０−１５８３８４号公報に開示されているようにアルカリ触媒と金属酸化物触媒を併用することにより付加モル数分布を制御することも可能である。
【００４０】
一般式（ｂ１）においてｎが０の場合に好適であるＲ１ｂが分岐構造を有するアルキル基を含む化合物を得る場合には、原料であるＲ１ｂ−ＯＨで示されるアルコールとして、炭素数８以上１４以下の１−アルケンをヒドロホルミル化して得られたアルコール（ＯＨ基に対してβ位にメチル基が分岐したアルキル基が１５モル％以上７０モル％以下含まれる）、炭素数４以上８以下のアルデヒドを縮合させた後、還元して得られるゲルベ型アルコール（ＯＨ基に対してβ位に炭素数３以上６以下のアルキル基が分岐した構造のものが１００モル％含まれる）、イソブテンの２量体をヒドロホルミル化して得られる３，５，５−トリメチルヘキサノール、イソブテンの３量体をヒドロホルミル化して得られる多分岐トリデカノール（分岐率は１００モル％である）、石油、石炭を原料とした合成アルコール（分岐率が約２０モル％以上１００モル％以下のアルキル基である）を挙げることができる。
【００４１】
特定硬質表面用液体洗浄剤組成物では、（ｂ）成分として、一般式（ｂ１）で表される化合物であって、Ｒ１ｂとして好ましくは炭素数８以上、更に好ましくは１０以上、そして好ましくは１８以下、更に好ましくは１４以下、更に好ましくは１２以下の直鎖アルキル基を含み、Ｒ２ｂとしてプロピレン基を含み、ｎが好ましくは０．１以上、更に好ましくは０．２以上、更に好ましくは０．４以上、そして、好ましくは１．５以下、更に好ましくは１．０以下、更に好ましくは０．８以下の数である化合物が好ましい。
【００４２】
なお、特定硬質表面用液体洗浄剤組成物では、（ｂ）成分に係る質量に関する記述（質量％や質量比）は、（ｂ）成分の一般式（ｂ１）中のＭ２をナトリウムと仮定したときの質量（ナトリウム塩換算での比率）に基づくものとする。
【００４３】
特定硬質表面用液体洗浄剤組成物は、（ｂ）成分を、洗浄力の観点から、０質量％以上、そして、３質量％未満、好ましくは２．５質量％以下、さらに好ましくは２質量％以下、さらに好ましくは１．５質量％以下、さらに好ましくは１質量％以下、さらに好ましくは１質量％未満、さらに好ましくは０．５質量％以下、さらに好ましくは０．５質量％未満、さらに好ましくは０．１質量％以下、さらに好ましくは０．１質量％未満、含有する。（ｂ）成分の含有量は、組成物中、０質量％であってもよい。
【００４４】
また特定硬質表面用液体洗浄剤組成物は、（ｂ）成分を、トリガー式のスプレー容器で泡にしてスプレーした場合に、スプレーされた泡の泡比容を大きくできる観点から、好ましくは０．１質量％以上、より好ましくは０．３質量％以上、さらに好ましくは０．５質量％以上、よりさらに好ましくは１．０質量％以上含有する。この場合の上限値は前記の範囲から選択できる。
【００４５】
＜（ｃ）成分＞
特定硬質表面用液体洗浄剤組成物の（ｃ）成分は、スルホベタイン及びカルボベタインから選ばれる１種以上の両性界面活性剤である。洗浄力の観点から、スルホベタインが好ましい。
【００４６】
スルホベタインとしては、アルキル基の炭素数が好ましくは１０以上、好ましくは１８以下、より好ましくは１４以下のＮ−アルキル−Ｎ，Ｎ−ジメチル−Ｎ−スルホプロピルアンモニウムスルホベタイン、アルキル基の炭素数が好ましくは１０以上、好ましくは１８以下、より好ましくは１４以下のＮ−アルキル−Ｎ，Ｎ−ジメチル−Ｎ−（２−ヒドロキシスルホプロピル）アンモニウムスルホベタイン、アルカノイル基の炭素数が好ましくは１０以上、好ましくは１８以下、より好ましくは１４以下のＮ−アルカノイルアミノプロピル−Ｎ，Ｎ−ジメチル−Ｎ−スルホプロピルアンモニウムスルホベタイン、アルカノイル基の炭素数が好ましくは１０以上、好ましくは１８以下、より好ましくは１４以下のＮ−アルカノイルアミノプロピル−Ｎ，Ｎ−ジメチル−Ｎ−（２−ヒドロキシスルホプロピル）アンモニウムスルホベタインが挙げられる。
【００４７】
カルボベタインとしては、アルキル基の炭素数が好ましくは１０以上、好ましくは１８以下、より好ましくは１４以下のＮ−アルキル−Ｎ，Ｎ−ジメチル−Ｎ−カルボキシメチルアンモニウムベタインや下記一般式（ｃ１）で表される化合物が挙げられ、洗浄力の観点から一般式（ｃ１）で表される化合物が好ましい。
【００４８】
【化３】
2017214464.tif 000005
【００４９】
（式中、Ｒ１ｃは炭素数７以上２１以下のアルキル基又はアルケニル基を示し、Ｒ２ｃはプロピレン基を示し、Ｒ３ｃおよびＲ４ｃは、それぞれ独立に、炭素数１以上３以下のアルキル基を示す。）
【００５０】
一般式（ｃ１）中、Ｒ１ｃは、好ましくは９以上、より好ましくは１１以上、そして、好ましくは１５以下、より好ましくは１３以下のアルキル基又はアルケニル基であり、ノニル基、デシル基、ウンデシル基、ドデシル基、トリデシル基が好ましい。
一般式（ｃ１）中、Ｒｃ３およびＲｃ４は、それぞれ独立に、好ましくはメチル基である。
【００５１】
一般式（ｃ１）で表される化合物としては、アーモンドアミドプロピルベタイン、アプリコットアミドプロピルベタイン、アボカドアミドプロピルベタイン、ババスアミドプロピルベタイン、ベヘナミドプロピルベタイン、キャノーラアミドプロピルベタイン、カプリル／カプラミドプロピルベタイン、コカミドプロピルベタイン、ココ／オレアミドプロピルベタイン、イソステアラミドプロピルベタイン、ラウラミドプロピルベタイン、ミルクアミドプロピルベタイン、ミンクアミドプロピルベタイン、ミリスタミドプロピルベタイン、オレアミドプロピルベタイン、オリーブアミドプロピルベタイン、パルマムアミドプロピルベタイン、パルミタムアミドプロピルベタイン、リシノール酸アミドプロピルベタイン、セサミドプロピルベタイン、ソイアミドプロピルベタイン、ステアラミドプロピルベタイン、牛脂アミドプロピルベタイン、ウンデシレンアミドプロピルベタイン、及び小麦胚芽アミドプロピルベタインが挙げられる。一般式（ｃ１）で表される化合物としては、ラウラミドプロピルベタイン、ミリスタミドプロピルベタイン、オレアミドプロピルベタイン、及び牛脂アミドプロピルベタインから選ばれる一種以上が好ましい。これらは、一般式（ｃ１）中のＲ３ｃおよびＲ４ｃは、それぞれメチル基の化合物である。
【００５２】
特定硬質表面用液体洗浄剤組成物は、（ｃ）成分を、洗浄力の観点から、好ましくは０．１質量％以上、より好ましくは０．３質量％以上、さらに好ましくは０．５質量％以上、よりさらに好ましくは１質量％以上、よりさらに好ましくは１．５質量％以上、そして、原料コストを低減する観点から、好ましくは３０質量％以下、より好ましくは２０質量％以下、さらに好ましくは１５質量％以下、よりさらに好ましくは１０質量％以下、よりさらに好ましくは８質量％以下、よりさらに好ましくは５質量％以下、よりさらに好ましくは３質量％以下、含有する。
【００５３】
特定硬質表面用液体洗浄剤組成物において、（ａ）成分、（ｂ）成分及び（ｃ）成分の合計含有量は、洗浄力の観点から、好ましくは０．６質量％以上、より好ましくは１質量％以上、さらに好ましくは２質量％以上、さらに好ましくは３質量％以上、よりさらに好ましくは４質量％以上であって、そして、界面活性剤の原料コストを低減する観点及び溶剤量を低減する観点から、好ましくは４０質量％以下、より好ましくは３５質量％以下、さらに好ましくは３０質量％以下、さらに好ましくは２５質量％以下、さらに好ましくは２０質量％以下、さらに好ましくは１５質量％以下、よりさらに好ましくは１０質量％以下である。
【００５４】
特定硬質表面用液体洗浄剤組成物において、全界面活性剤中の、（ａ）成分、（ｂ）成分及び（ｃ）成分の合計含有量の割合は、洗浄力の観点から、好ましくは５０質量％以上、より好ましくは６０質量％以上、さらに好ましくは７０質量％以上、よりさらに好ましくは８０質量％以上、よりさらに好ましくは９０質量％以上であり、好ましくは１００質量％以下である。
【００５５】
特定硬質表面用液体洗浄剤組成物において、（ａ）成分の含有量と、（ａ）成分、（ｂ）成分及び（ｃ）成分の合計含有量との質量比である、（ａ）成分／［（ａ）成分＋（ｂ）成分＋（ｃ）成分］の質量比は、洗浄力の観点から、好ましくは０．１以上、より好ましくは０．２以上、さらに好ましくは０．３以上、さらに好ましくは０．３５以上、さらに好ましくは０．４以上、同様の観点から、好ましくは０．９以下、より好ましくは０．８５以下、さらに好ましくは０．８以下、さらに好ましくは０．７５以下、さらに好ましくは０．７以下、さらに好ましくは０．６５以下である。なお、［（ａ）成分＋（ｂ）成分＋（ｃ）成分］は、（ａ）成分、（ｂ）成分及び（ｃ）成分の合計含有量の意味である（以下の質量比でも同様）。
【００５６】
特定硬質表面用液体洗浄剤組成物において、（ｂ）成分の含有量と、（ａ）成分、（ｂ）成分及び（ｃ）成分の合計含有量との質量比である、（ｂ）成分／［（ａ）成分＋（ｂ）成分＋（ｃ）成分］の質量比は、洗浄力の観点から、０．３以下、好ましくは０．３未満、好ましくは０．２６以下、より好ましくは０．２以下、さらに好ましくは０．２未満、さらに好ましくは０．１５以下、さらに好ましくは０．１５未満、よりさらに好ましくは０．１以下である。また特定硬質表面用液体洗浄剤組成物において、（ｂ）成分／［（ａ）成分＋（ｂ）成分＋（ｃ）成分］の質量比は、トリガー式のスプレー容器で泡にしてスプレーした場合に、スプレーされた泡の泡比容を大きくできる観点から、０以上、好ましくは０．０３以上、より好ましくは０．０５以上、さらに好ましくは０．０７以上、さらに好ましくは０．１以上、さらに好ましくは０．１５以上、さらに好ましくは０．２以上である。（ｂ）成分／［（ａ）成分＋（ｂ）成分＋（ｃ）成分］の質量比は、０であってもよい。
【００５７】
特定硬質表面用液体洗浄剤組成物において、（ｃ）成分の含有量と、（ａ）成分、（ｂ）成分及び（ｃ）成分の合計含有量との質量比である、（ｃ）成分／［（ａ）成分＋（ｂ）成分＋（ｃ）成分］の質量比は、洗浄力の観点から、好ましくは０．１以上、より好ましくは０．２以上、さらに好ましくは０．３以上、さらに好ましくは０．３５以上、さらに好ましくは０．４以上、同様の観点から、好ましくは０．９以下、より好ましくは０．８５以下、さらに好ましくは０．８以下、さらに好ましくは０．７５以下、さらに好ましくは０．７以下、さらに好ましくは０．６５以下である。
【００５８】
特定硬質表面用液体洗浄剤組成物において、（ａ）成分の含有量と（ｃ）成分の含有量との質量比である、（ａ）成分／（ｃ）成分の質量比は、洗浄力の観点から、好ましくは０．１以上、より好ましくは０．２以上、さらに好ましくは０．３以上、さらに好ましくは０．４以上、さらに好ましくは０．５以上、さらに好ましくは０．６以上であり、同様の観点から、好ましくは１０以下、より好ましくは８以下、さらに好ましくは７以下、さらに好ましくは６以下、さらに好ましくは５以下、さらに好ましくは４以下、さらに好ましくは３以下、よりさらに好ましくは２以下である。
【００５９】
＜（ｄ）成分＞
特定硬質表面用液体洗浄剤組成物は、洗浄力の観点から、（ｄ）成分として、アルキルグリセリルエーテルを含有することができる。（ｄ）成分としては、アルキル基の炭素数が６以上１８以下のアルキルモノグリセリルエーテルが挙げられる。具体的には下記一般式（ｄ１）の化合物が好適である。
Ｒ１ｄ−Ｏ−（Ｇｌｙ）ｒ−Ｈ        （ｄ１）
〔式中、Ｒ１ｄは炭素数６以上１８以下のアルキル基を示し、Ｇｌｙはグリセリン由来の構成単位を示し、好ましくはグリセリンから１つの水酸基と１つの水素原子とを除いた残基を示し、ｒは１以上４以下の数を示す。〕
【００６０】
一般式（ｄ１）中、Ｒ１ｄは、好ましくは炭素数６以上、より好ましくは炭素数８以上、そして、好ましくは炭素数１８以下、より好ましくは炭素数１２以下の、アルキル基が挙げられ、オクチル基、２−エチルヘキシル基、デシル基、ドデシル基が好ましい。ｒは１が好ましい。
【００６１】
特定硬質表面用液体洗浄剤組成物は、（ｄ）成分を、洗浄力の観点から、好ましくは０．１質量％以上、より好ましくは０．２質量％以上、さらに好ましくは０．５質量％以上、そして、好ましくは６質量％以下、より好ましくは４質量％以下、さらに好ましくは２質量％以下、含有する。
【００６２】
＜（ｅ）成分＞
特定硬質表面用液体洗浄剤組成物は、洗浄力及び配合安定性の観点から、（ｅ）成分として、溶剤を含有することが好ましい。溶剤は、好ましくは炭素数２以上、より好ましくは炭素数３以上、好ましくは炭素数１０以下、より好ましくは炭素数８以下の水溶性有機溶剤が好ましく、具体例としては、エタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、３−メチル−３−メトキシブタノール、フェノキシエタノール、フェニルグリコール、フェノキシイソプロパノール、ブチルジグリコール（ジエチレングリコールモノブチルエーテル）、ジブチレンジグリコール、及びベンジルアルコールから選ばれる水溶性有機溶剤がより好ましい。なかでも、ブチルジグリコール、エタノール、及びプロピレングリコールから選ばれる１種以上の水溶性有機溶剤がさらに好ましい。ここで、水溶性有機溶剤とは、オクタノール／水分配係数（ＬｏｇＰｏｗ）が３．５以下の溶剤を指すものとする。
【００６３】
特定硬質表面用液体洗浄剤組成物は、（ｅ）成分を、洗浄力及び配合安定性の観点から、好ましくは０．５質量％以上、より好ましくは２質量％以上、さらに好ましくは４質量％以上、そして、好ましくは３０質量％以下、より好ましくは２０質量％以下、さらに好ましくは１０質量％以下、含有する。また、同様の観点から、好ましくは０．５質量％以上３０質量％以下、より好ましくは２質量％以上２０質量％以下、さらに好ましくは４質量％以上１０質量％以下、含有する。
【００６４】
特定硬質表面用液体洗浄剤組成物が（ｅ）成分を含有する場合、（ｅ）成分の含有量と、（ａ）成分及び（ｃ）成分の合計含有量との質量比である、（ｅ）成分／［（ａ）成分＋（ｃ）成分］の質量比は、洗浄力の観点から、好ましくは０．５以上、より好ましくは１以上、さらに好ましくは１．２以上、よりさらに好ましくは１．５以上であり、同様の観点から、好ましくは５以下、より好ましくは４以下、さらに好ましくは３以下、よりさらに好ましくは２以下である。
【００６５】
＜（ｆ）成分＞
特定硬質表面用液体洗浄剤組成物は、配合安定性の観点から、（ｆ）成分として、ハイドロトロープ剤を含有することができる。ハイドロトロープ剤としては、トルエンスルホン酸、キシレンスルホン酸、クメンスルホン酸又はこれらのナトリウム、カリウムあるいはマグネシウム塩が良好であり、特にｐ−トルエンスルホン酸又はその塩が良好である。
【００６６】
特定硬質表面用液体洗浄剤組成物は、（ｆ）成分を、配合安定性の観点から、好ましくは０．５質量％以上、より好ましくは１質量％以上、さらに好ましくは１．５質量％以上、そして好ましくは１５質量％以下、より好ましくは１０質量％以下、さらに好ましくは５質量％以下、含有する。
＜（ｇ）成分＞
特定硬質表面用液体洗浄剤組成物は、洗浄力の観点から、（ｇ）成分として、キレート剤を含有することができる。キレート剤としては、クエン酸、エチレンジアミン４酢酸塩、メチルグリシン２酢酸、Ｌ−グルタミン酸二酢酸・四ナトリウム等が挙げられる。
【００６７】
特定硬質表面用液体洗浄剤組成物は、（ｇ）成分を、洗浄力の観点から、好ましくは０．１質量％以上、より好ましくは１．０質量％以上、さらに好ましくは２．０質量％以上、そして、好ましくは２０質量％以下、より好ましくは１０質量％以下、さらに好ましくは６質量％以下、含有する。
【００６８】
＜（ｈ）成分＞
特定硬質表面用液体洗浄剤組成物は、起泡性、すすぎ性の観点から、（ｈ）成分として、炭素数８以上２２以下の脂肪酸又はその塩を含有してもよい。
【００６９】
特定硬質表面用液体洗浄剤組成物の（ｈ）成分は、起泡性、すすぎ性、洗浄力の観点から、好ましくは炭素数８以上、より好ましくは１０以上、そして、好ましくは炭素数２２以下、より好ましくは１８以下、さらに好ましくは１４以下の脂肪酸又はその塩である。
【００７０】
（ｈ）成分としては、オクタン酸、デカン酸、ラウリン酸、ミリスチン酸、パルミチン酸、パルミトレイン酸、ステアリン酸、オレイン酸、リノール酸、リノレイン酸及びこれらの塩が挙げられる。また、椰子組成脂肪酸などの混合脂肪酸を用いることも可能である。脂肪酸の塩としては、ナトリウム塩、カリウム塩、マグネシウム塩、アンモニウム塩から選ばれる無機塩、モノエタノールアンモニウム塩、ジエタノールアンモニウム塩、トリエタノールアンモニウム塩などの有機アミン塩であるが、好ましくはナトリウム塩、カリウム塩、マグネシウム塩、より好ましくはナトリウム塩、カリウム塩が挙げられる。
【００７１】
（ｈ）成分としては、好ましくはデカン酸、ラウリン酸、ミリスチン酸、パルミチン酸又はこれらの塩であり、より好ましくはデカン酸、ラウリン酸、ミリスチン酸又はこれらの塩から選ばれる一種以上であり、よりさらに好ましくはデカン酸、ラウリン酸又はその塩から選ばれる一種以上である。配合安定性の観点から、（ｈ）成分がラウリン酸又はその塩を含むことが好ましく、（ｈ）成分中、ラウリン酸又はその塩の割合は、好ましくは２０質量％以上、より好ましくは５０質量％以上、さらに好ましくは８０質量％以上、そして、好ましくは１００質量％以下、より好ましくは１００質量％である。
【００７２】
特定硬質表面用液体洗浄剤組成物は、（ｈ）成分を、起泡性、すすぎ性の観点から、好ましくは０質量％以上、そして、洗浄力の観点から、好ましくは３質量％以下、より好ましくは３質量％未満、さらに好ましくは２．５質量％以下、さらに好ましくは２質量％以下、さらに好ましくは１．５質量％以下、さらに好ましくは１質量％以下、さらに好ましくは１質量％未満、さらに好ましくは０．５質量％以下、さらに好ましくは０．５質量％未満、さらに好ましくは０．１質量％以下、さらに好ましくは０．１質量％未満、含有する。（ｈ）成分の含有量は、組成物中、０質量％であってもよい。
なお、本明細書において、（ｈ）成分に係る質量に関する記述（質量％や質量比）は、脂肪酸換算に基づくものとする。
【００７３】
特定硬質表面用液体洗浄剤組成物は、（ｂ）成分と（ｈ）成分とを合計で、起泡性、すすぎ性の観点から、好ましくは０質量％以上、そして、洗浄力の観点から、好ましくは３質量％未満、より好ましくは２．５質量％以下、さらに好ましくは２質量％以下、さらに好ましくは１．５質量％以下、さらに好ましくは１質量％以下、さらに好ましくは１質量％未満、さらに好ましくは０．５質量％以下、さらに好ましくは０．５質量％未満、さらに好ましくは０．１質量％以下、さらに好ましくは０．１質量％未満、含有する。（ｂ）成分と（ｈ）成分の合計含有量は、組成物中、０質量％であってもよい。
【００７４】
特定硬質表面用液体洗浄剤組成物において、（ａ）成分、（ｂ）成分、（ｃ）成分及び（ｈ）成分の合計含有量は、洗浄力の観点から、好ましくは０．６質量％以上、より好ましくは１質量％以上、さらに好ましくは２質量％以上、さらに好ましくは３質量％以上、よりさらに好ましくは４質量％以上であって、そして、界面活性剤の原料コストを低減する観点及び溶剤量を低減する観点から、好ましくは４０質量％以下、より好ましくは３５質量％以下、さらに好ましくは３０質量％以下、さらに好ましくは２５質量％以下、さらに好ましくは２０質量％以下、さらに好ましくは１５質量％以下、よりさらに好ましくは１０質量％以下である。
【００７５】
特定硬質表面用液体洗浄剤組成物において、全界面活性剤中の、（ａ）成分、（ｂ）成分、（ｃ）成分及び（ｈ）成分の合計含有量の割合は、洗浄力の観点から、好ましくは５０質量％以上、より好ましくは６０質量％以上、さらに好ましくは７０質量％以上、よりさらに好ましくは８０質量％以上、よりさらに好ましくは９０質量％以上であり、好ましくは１００質量％以下である。
【００７６】
特定硬質表面用液体洗浄剤組成物において、（ａ）成分の含有量と、（ａ）成分、（ｂ）成分、（ｃ）成分及び（ｈ）成分の合計含有量との質量比である、（ａ）成分／［（ａ）成分＋（ｂ）成分＋（ｃ）成分＋（ｈ）成分］の質量比は、洗浄力の観点から、好ましくは０．１以上、より好ましくは０．２以上、さらに好ましくは０．３以上、さらに好ましくは０．３５以上、さらに好ましくは０．４以上、同様の観点から、好ましくは０．９以下、より好ましくは０．８５以下、さらに好ましくは０．８以下、さらに好ましくは０．７５以下、さらに好ましくは０．７以下、さらに好ましくは０．６５以下である。
【００７７】
特定硬質表面用液体洗浄剤組成物において、（ｂ）成分と（ｈ）成分の合計含有量と、（ａ）成分、（ｂ）成分、（ｃ）成分及び（ｈ）成分の合計含有量との質量比である、［（ｂ）成分＋（ｈ）成分］／［（ａ）成分＋（ｂ）成分＋（ｃ）成分＋（ｈ）成分］の質量比は、洗浄力の観点から、好ましくは０．３以下、より好ましくは０．３未満、さらに好ましくは０．２６以下、さらに好ましくは０．２以下、さらに好ましくは０．２未満、さらに好ましくは０．１５以下、さらに好ましくは０．１５未満、よりさらに好ましくは０．１以下である。また特定硬質表面用液体洗浄剤組成物において、［（ｂ）成分＋（ｈ）成分］／［（ａ）成分＋（ｂ）成分＋（ｃ）成分＋（ｈ）成分］の質量比は、特定硬質表面用液体洗浄剤組成物を泡状形態で用いた場合に泡比容を大きくできる泡比容の観点から、０以上、好ましくは０．０３以上、より好ましくは０．０５以上、さらに好ましくは０．０７以上、さらに好ましくは０．１以上、さらに好ましくは０．１５以上、さらに好ましくは０．２以上である。［（ｂ）成分＋（ｈ）成分］／［（ａ）成分＋（ｂ）成分＋（ｃ）成分＋（ｈ）成分］の質量比は、０であってもよい。
【００７８】
特定硬質表面用液体洗浄剤組成物において、（ｃ）成分の含有量と、（ａ）成分、（ｂ）成分、（ｃ）成分及び（ｈ）成分の合計含有量との質量比である、（ｃ）成分／［（ａ）成分＋（ｂ）成分＋（ｃ）成分＋（ｈ）成分］の質量比は、洗浄力の観点から、好ましくは０．１以上、より好ましくは０．２以上、さらに好ましくは０．３以上、さらに好ましくは０．３５以上、さらに好ましくは０．４以上、同様の観点から、好ましくは０．９以下、より好ましくは０．８５以下、さらに好ましくは０．８以下、さらに好ましくは０．７５以下、さらに好ましくは０．７以下、さらに好ましくは０．６５以下である。
【００７９】
特定硬質表面用液体洗浄剤組成物は、ポリアルキレングリコール等のゲル化防止剤、ポリアクリル酸等の増粘剤、酵素、香料、染料、顔料、殺菌剤、防腐剤、ｐＨ調整剤などの成分を含有することができる。
【００８０】
特定硬質表面用液体洗浄剤組成物において、固形分の含有量は、洗浄力の観点から、好ましくは０．６質量％以上、より好ましくは１質量％以上、さらに好ましくは２質量％以上、さらに好ましくは３質量％以上、よりさらに好ましくは４質量％以上であって、そして、原料コストを低減する観点及びスプレイヤーを具備する容器を使用した際の吐出性の観点から、好ましくは６０質量％以下、より好ましくは５０質量％以下、さらに好ましくは４５質量％以下、さらに好ましくは４０質量％以下、さらに好ましくは３５質量％以下、さらに好ましくは３０質量％以下、よりさらに好ましくは２８質量％以下である。ここで、固形分とは、前記（ａ）〜（ｃ）成分及びその他の任意成分、すなわち水以外の成分である。
【００８１】
特定硬質表面用液体洗浄剤組成物は、水を含有する。すなわち、前記（ａ）〜（ｃ）成分及び任意成分以外の残部が水である。特定硬質表面用液体洗浄剤組成物は、水を、好ましくは３０質量％以上、より好ましくは５０質量％以上、より好ましくは６０質量％以上、さらに好ましくは７０質量％以上、そして、好ましくは９８質量％以下、より好ましくは９５質量％以下、より好ましくは９０質量％以下含有する。水は、イオン交換水、滅菌イオン交換水等を使用することが好ましい。
【００８２】
特定硬質表面用液体洗浄剤組成物の２５℃におけるｐＨは、手へのマイルド性の観点から、好ましくは２以上、より好ましくは４以上、より好ましくは５以上、そして、好ましくは１０以下、より好ましくは９以下、さらに好ましくは８以下である。
【００８３】
特定硬質表面用液体洗浄剤組成物の２０℃における粘度は、好ましくは０．５ｍＰａ・ｓ以上、より好ましくは１ｍＰａ・ｓ以上、そして、好ましくは５０ｍＰａ・ｓ以下、より好ましくは２０ｍＰａ・ｓ以下、さらに好ましくは１０ｍＰａ・ｓ以下、よりさらに好ましくは７ｍＰａ・ｓ以下、よりさらに好ましくは５ｍＰａ・ｓ以下である。粘度は溶剤やハイドロトロープ剤などで調整することができる。
【００８４】
本発明の硬質表面洗浄用物品及び本発明に用いる液体洗浄剤組成物は、硬質物品の硬質表面用、更に食器又は台所周りの硬質物品の硬質表面用、更に食器の硬質表面用であることが好ましい。また、硬質物品の硬質表面の手洗い洗浄用、更に食器又は台所周りの硬質物品の硬質表面の手洗い洗浄用、更に食器の硬質表面の手洗い洗浄用であることが好ましい。
具体的には、本発明に用いる液体洗浄剤組成物は、好ましくは硬質物品の硬質表面への塗布用洗浄剤、より好ましくは食器又は台所周りの硬質物品の硬質表面への塗布用洗浄剤、更に好ましくは食器の硬質表面への塗布用洗浄剤である。
【００８５】
硬質物品としては、パイプ、部品等の食品製造機器、台所周りの硬質物品、食器等が挙げられ、本発明の硬質表面洗浄用物品で泡として吐出する液体洗浄剤組成物、特に表面洗浄用物品で泡として吐出する特定硬質表面用液体洗浄剤組成物は、固体脂の洗浄性に優れることから、硬質物品、好ましくは食器及び台所周りの硬質物品、より好ましくは食器を洗浄対象とすることが好ましい。台所周りの硬質物品は、台所の周辺で使用される物品であり、具体的には、冷蔵庫、食器棚などの食品、食器、調理器具の保存場所；排水溝、調理台、レンジフード、シンク、ガスレンジ、電子レンジなどの食品の調理場所；及びそれらの周辺の床や壁等である。本明細書では、これらを便宜上「台所周りの硬質物品」とする。
また、食器としては、具体的には、皿、椀等のいわゆる食器；タッパー、瓶等の保存容器；包丁やまな板、鍋、フライパン、魚焼きグリル等の調理器具；フードプロセッサー、ミキサー等の調理家電等の食材が接触する部材や器具が挙げられる。本明細書では、これらを便宜上「食器」とする。
また、本発明に用いられる液体洗浄剤組成物は、食器、保存容器、調理器具、及び調理家電から選ばれる物品用であることが好ましく、更に皿、椀、タッパー、ビン、包丁、まな板、鍋、フライパン、魚焼きグリル、フードプロセッサー、及びミキサーから選ばれる物品用であることがより好ましい。
また、本発明の洗浄対象である硬質表面、更に食器及び台所周りの硬質表面、更に食器の硬質表面の材質は、プラスチック（シリコーン樹脂などを含む）、金属、陶器、木、及びそれらの組み合わせが挙げられる。
【００８６】
本発明の硬質表面洗浄用物品の使用方法は、スプレー容器により泡にしてスプレーした液体洗浄剤組成物を、洗浄対象物である硬質表面に直接接触させることが好ましい。また、洗浄対象物である硬質表面は、油汚れが付着した硬質表面であることが好ましく、更に好ましくは固体脂を含む油汚れが付着した硬質表面である。面の洗浄方法として好適に実施できる。
本発明の硬質表面洗浄用物品の好ましい使用方法では、スプレー容器により泡にしてスプレーした液体洗浄剤組成物、より好ましくは、スプレー容器により泡にしてスプレーした特定硬質表面用液体洗浄剤組成物を、硬質表面に接触させる。具体的には、スプレー容器により泡にしてスプレーした液体洗浄剤組成物、より好ましくは、スプレー容器により泡にしてスプレーした特定硬質表面用液体洗浄剤組成物を、希釈することなく、硬質表面に接触させる。硬質表面に接触した後は、液体洗浄剤組成物の組成が変動してもよい。すなわち、硬質表面に接触した後は、液体洗浄剤組成物の組成が希釈又は濃縮されてもよい。
【００８７】
また、本発明の硬質表面洗浄用物品の好ましい使用方法では、スプレー容器により泡にしてスプレーした液体洗浄剤組成物、より好ましくは、スプレー容器により泡にしてスプレーした特定硬質表面用液体洗浄剤組成物を、硬質表面に接触させた後、機械力をかけずに放置する。つまり、スポンジ等の可撓性材料を用いることなく接触させ、機械力をかけずにそのまま放置する。本発明の硬質表面洗浄用物品によれば、液体洗浄剤組成物による洗浄効果を高めることができ、機械的な力を加えない洗浄による洗浄効果を大幅に向上させることができ、機械力をかけずに放置し、放置した後、水で洗い流して洗浄を完了させることができる。
【００８８】
本発明の硬質表面洗浄用物品の好ましい使用方法では、スプレー容器により泡にしてスプレーした液体洗浄剤組成物、より好ましくは、スプレー容器により泡にしてスプレーした特定硬質表面用液体洗浄剤組成物を、洗浄対象物である硬質表面の面積１００ｃｍ２に対して、好ましくは０．１ｇ以上、より好ましくは０．３ｇ以上、さらに好ましくは０．４ｇ以上、そして、好ましくは５ｇ以下、より好ましくは３ｇ以下、さらに好ましくは２ｇ以下の割合で接触させる、更に、塗布又は噴霧することが好ましい。
【００８９】
本発明の硬質表面洗浄用物品の好ましい使用方法では、洗浄力を高める観点から、スプレー容器により泡にしてスプレーした液体洗浄剤組成物、より好ましくは、スプレー容器により泡にしてスプレーした特定硬質表面用液体洗浄剤組成物を、硬質表面に接触後、好ましくは１０秒以上、より好ましくは２０秒以上、さらに好ましくは３０秒以上、さらに好ましくは４０秒以上、そして同様の観点から、好ましくは６０分以下、より好ましくは３０分以下、さらに好ましくは２０分以下、よりさらに好ましくは１０分以下、放置する。この場合、最初に液体洗浄剤組成物が硬質表面に接触した時点を放置の開始としてよい。なお、放置する際の温度は、室温でよく、例えば、１０℃以上３０℃以下が挙げられる。
【００９０】
要するに本発明の硬質表面洗浄用物品の好ましい使用方法では、スプレー容器により泡にしてスプレーした液体洗浄剤組成物を、洗浄力を高める観点から、好ましくは１０秒以上、より好ましくは２０秒以上、さらに好ましくは３０秒以上、さらに好ましくは４０秒以上、そして同様の観点から、好ましくは６０分以下、より好ましくは３０分以下、さらに好ましくは２０分以下、よりさらに好ましくは１０分以下、洗浄対象である硬質表面と接触させる。
【００９１】
本発明の硬質表面洗浄用物品は、スプレー容器の１回の吐出操作で泡として吐出される液体洗浄剤組成物の質量が、洗浄力を高める観点から、好ましくは０．３ｇ以上、より好ましくは０．４ｇ以上である。そして、トリガーを引く力を小さくする観点から、好ましくは１．０ｇ以下、より好ましくは１．０ｇ未満、さらに好ましく０．８ｇ以下である。本発明の硬質表面洗浄用物品によれば、スプレーされた泡の泡比容が高いため、一回の吐出操作で吐出させる液体洗浄剤組成物の量を少なくすることもできる。これにより、硬質表面洗浄用物品を軽量化して取扱い性を高めたり、スプレー容器内に液体洗浄剤組成物を補充することなく洗浄可能な回数や面積を増大させることができる。また、トリガーを引く力を小さく調整することもできる。
【００９２】
スプレー容器より泡として吐出された液体洗浄剤組成物は、硬質表面との密着性、または密着時間の観点から、吐出直後の硬質表面上の泡の厚みが、好ましくは５ｍｍ以上、より好ましくは８ｍｍ以上、さらに好ましくは１０ｍｍ以上である。本発明の硬質表面洗浄用物品は、液体洗浄剤組成物を、このような厚みの泡が生じるように吐出させることが好ましい。
【００９３】
また、本発明の硬質表面洗浄用物品は、汚れと密着させて洗浄力を高める観点から、泡として吐出された液体洗浄剤組成物の硬質表面への密着時間は、２０秒以上が好ましく、３０秒以上がより好ましく、１分以上がさらに好ましい。また、汚れへの浸透性の観点から、２０分以下が好ましく、１０分以下がより好ましい。液体洗浄剤組成物の硬質表面への密着時間は、次のようにして測定できる。
例えば、ポリプロピレン製（２００ｍｍ×２００ｍｍ以上の面積を有する）の有底の容器を試験片とし、容器の底部と壁部の境界である角部に対し、１回スプレーをした直後、試験片を直角に立て、泡の状態を観察する。スプレーは、スプレー容器の吐出方向と底部との角度を４５度とし、ノズル部の泡吐出口から角部までの距離を１５ｃｍとする。試験片を底部が直立するよう直角立てた時点から、泡の下端が２ｃｍ以上下方に移動する（垂れる）までの時間を測定する。密着性の評価では、温度２０℃、湿度６５％の条件下に行う。
【００９４】
スプレー容器は、全体が合成樹脂製でも良いし、全体又は一部が金属やセラミック等の合成樹脂以外の材料から形成されていても良い。合成樹脂として、例えば、ポリエチレン、ポリプロピレンなどのポリオレフィン、ポリスチレン、ポリエチレンテレフタレート（ＰＥＴ）、ポリカーボネート、アクリル、ポリアミド、ポリアセタール、塩化ビニル等を用いることができる。スプレー容器の容器本体は、合成樹脂から形成されていることが好ましく、例えば、ブロー成形などによって製造することができる。
スプレー容器の容器本体の容量は、好ましくは２００ｍＬ以上、より好ましくは３００ｍＬ以上であり、また好ましくは６００ｍＬ以下、よりが好ましくは５００ｍＬ以下であり、また好ましくは２００ｍＬ以上６００ｍＬ以下、より好ましくは３００ｍＬ以上５００ｍＬ以下である。
【００９５】
以上、本発明をその実施形態に基づき説明したが、本発明は上記実施形態に制限されず、適宜変更可能である。例えば、トリガー式のスプレー容器のスプレイヤーとしては、蓄圧タイプのスプレイヤーに代えて直圧タイプのスプレイヤーを用いることもできる。
【実施例】
【００９６】
＜液体洗浄剤組成物１＞
液体洗浄剤組成物として、特定硬質表面用液体洗浄剤組成物である液体洗浄剤組成物１を調製した。具体的には、適量のイオン交換水に、以下の（ａ）成分、（ｃ）成分及び（ｅ）成分を添加し、室温（２５℃）で溶解させた後、水酸化ナトリウム又は／及び塩酸を添加してｐＨ（２５℃）を６に調整した。得られた液体洗浄剤組成物１は、（ａ）成分１質量％、（ｂ）成分０質量％、（ｃ）成分４質量％、（ｅ）成分８質量％であり、残部が水であった。配合成分の質量％は、全て有効分に基づく数値であり、（ｂ）成分はナトリウム塩としての量に基づく質量％である。
【００９７】
＜配合成分＞
（ａ）成分：スルホコハク酸ジ−２−エチルヘキシルナトリウム（製品名「エアロールＣＴ−１Ｌ」、東邦化学工業（株）製）一般式（ａ１）において、Ｒ１ａ、Ｒ２ａ：共に２−エチルヘキシル基、ｘ、ｙ：共に０、Ｍ１：ナトリウムの化合物
（ｃ）成分：ラウリルヒドロキシスルホベタイン（製品名「アンヒトール２０ＨＤ」、花王（株）製）
（ｅ）成分：ブチルジグリコール（製品名「ＢＤＧ−ＮＳ」、日本乳化剤（株）製）
【００９８】
＜液体洗浄剤組成物２＞
液体洗浄剤組成物として、特定硬質表面用液体洗浄剤組成物である液体洗浄剤組成物２を調製した。具体的には、適量のイオン交換水に、以下の（ａ）成分、（ｃ）成分、（ｄ）成分、（ｅ）成分、（ｆ）成分及び（ｇ）成分を添加し、室温（２５℃）で溶解させた後、水酸化ナトリウム又は／及び塩酸を添加してｐＨ（２５℃）を６に調整した。得られた液体洗浄剤組成物２は、（ａ）成分１．３５質量％、（ｂ）成分０質量％、（ｃ）成分３．１５質量％、（ｄ）成分１．５質量％、（ｅ）成分８．７８質量％、（ｆ）成分４．７２質量％、（ｇ）成分４質量％であり、残部が水であった。配合成分の質量％は、全て有効分に基づく数値であり、（ｂ）成分はナトリウム塩としての量に基づく質量％であり、（ｆ）成分は結晶水を含んだ化合物としての量に基づく質量％である。
【００９９】
＜配合成分＞
（ａ）成分：スルホコハク酸ジ−２−エチルヘキシルナトリウム（製品名「エアロールＣＴ−１Ｌ」、東邦化学工業（株）製）一般式（ａ１）において、Ｒ１ａ、Ｒ２ａ：共に２−エチルヘキシル基、ｘ、ｙ：共に０、Ｍ１：ナトリウムの化合物
（ｃ）成分：ラウリルヒドロキシスルホベタイン（製品名「アンヒトール２０ＨＤ」、花王（株）製）
（ｄ）成分：２-エチルヘキシルグリセリルエーテル（製品名「ペネトールＧＥ-ＥＨ」、花王（株）製）
（ｅ）成分：ブチルジグリコール（製品名「ＢＤＧ−ＮＳ」、日本乳化剤（株）製）
（ｆ）成分：パラトルエンスルホン酸１水和物（製品名「ＰＴＳ  Ｍ-７０００」、明友産業（株）製）
（ｇ）成分：クエン酸（製品名「精製クエン酸（無水）」、扶桑産業（株）製）
【０１００】
＜実施例１＞
調製した液体洗浄剤組成物１を、蓄圧タイプのスプレイヤーを備えたスプレー容器（フレアフレグランスミスト香りのスタイリングミストタイプスプレー（花王）のノズル部にアタックシュッと泡スプレー（花王）のノズルチップを取り付けたもの）に充填した。
＜実施例２＞
調製した液体洗浄剤組成物２を、実施例１と同じ蓄圧タイプのスプレイヤーを備えたスプレー容器に充填した。
＜比較例１＞
調製した液体洗浄剤組成物１を、直圧タイプのスプレイヤーを備えたスプレー容器（バスマジックリン泡立ちスプレー（花王（株）製））に充填した。前記のスプレー容器はノズル先端の泡質切替蓋を持ち上げて外し広泡モードで用いた。
＜比較例２＞
調製した液体洗浄剤組成物１を、比較例１と同じ直圧タイプのスプレイヤーを備えたトリガー式のスプレー容器に充填した。該スプレー容器はノズル先端の泡質切替蓋を下げて装着し狭泡モードで用いた。
【０１０１】
＜泡比容の測定＞
実施例１，２及び比較例１，２の各スプレー容器により、内部の液体洗浄剤組成物を２００ｍＬメスシリンダー（内径４０ｍｍ）内に間隔を空けずに２回続けてスプレーした。２回目のスプレー直後のメスシリンダー内の泡の容量（ｍＬ）を目視で読み取った。また、スプレー後の２００ｍＬメスシリンダーの質量を、４桁天秤（小数点以下２桁まで測定可能なもの）を用いて測定し、スプレー前のメスシリンダーの質量との差を、泡の質量（ｇ）とした。
以下の式で泡比容を算出した。
泡比容（ｍＬ／ｇ）＝泡の容量（ｍＬ）／泡の質量（ｇ）
泡比容の測定は、温度２０℃、湿度６５％の条件下に行った。
なお、１回の吐出操作により吐出される泡の量は、前述の泡比容の測定において求めた泡塗布量（ｇ）を（ａ）としたときに、（ａ）／２で求まる。
【０１０２】
＜泡の厚みの測定＞
実施例１，２及び比較例１，２の各スプレー容器により、内部の液体洗浄剤組成物を水平な机上に平置きした試験片に対し１回スプレーし、直後に定規により泡の厚みを測定した。厚みは最大箇所を測定した。測定は、温度２０℃、湿度６５％の条件下に行った。試験片として、ポリプロピレン製の容器（品名：アロンＰＰコンテナ-バット  小−II）を用い、その内部の底部に液体洗浄剤組成物をスプレーした。スプレー容器の吐出方向と底部との角度を４５度とし、ノズル部の泡吐出口から底部までの距離を１５ｃｍとした。なお、試験片は、測定前に食器用洗剤（花王（株）製キュキュット）で洗浄し、ドライヤー等で乾燥しておいた。
【０１０３】
＜密着時間の測定＞
実施例１，２及び比較例１，２の各スプレー容器により、内部の液体洗浄剤組成物を水平な机上に平置きした試験片に対し１回スプレーした。スプレー直後に試験片を机上に対して直角に立て、立てた時点から、泡の下端が２ｃｍ以上下方に移動する（垂れた）までの時間を測定した。測定は、温度２０℃、湿度６５％の条件下に行った。試験片として、ポリプロピレン製の容器（品名：アロンＰＰコンテナ-バット  小−II）を用い、その内部の底部と壁部の境界である角部に対し、液体洗浄剤組成物をスプレーした。スプレー容器の吐出方向と底部との角度を４５度とし、ノズル部の泡吐出口から角部までの距離を１５ｃｍとした。なお、試験片は、測定前に食器用洗剤（花王（株）製キュキュット）で洗浄し、ドライヤー等で乾燥しておいた。
＜評価＞
【０１０４】
実施例１，２及び比較例１，２の各スプレー容器のそれぞれについて、内部の液体洗浄剤組成物を評価用洗浄対象物に対して２回スプレーし、液体洗浄剤組成物からなる泡の評価用洗浄対象物に対する密着性、及び洗浄性を評価した。なお、スプレー容器の吐出方向と評価用洗浄対象物の底部との角度を４５度とし、ノズル部の泡吐出口から底部までの距離を１５ｃｍとした。
【０１０５】
＜評価用洗浄対象物＞
ポリプロピレン製の縦１０ｃｍ、横１５ｃｍ、高さ３ｃｍの弁当箱に、市販の肉まわり調味料（商品名「黄金の味」、エバラ食品株式会社製）３ｍｌを入れ、底部及び底部と側面の境界部に拡げた後、ドライヤーで乾かした。これを評価用洗浄対象物とした。
【０１０６】
＜汚れへの密着性の評価＞
評価用洗浄対象物である弁当箱の底部の角部に、液体洗浄剤組成物を２回スプレーした直後、塗布箇所を上にし底部が直立するよう容器を９０度傾け、泡の流れ落ち時間を目視にて観察し、該組成物の油汚れに対する密着性を以下の評価基準により評価した。
高い：スプレー後、１分以上泡が垂れない。
中  ：スプレー後、１０秒以上１分未満に泡が垂れる。
低い：スプレー後、１０秒未満に泡が垂れる。
【０１０７】
＜洗浄力の評価＞  
前述の「汚れへの密着性の評価」を行う各評価用洗浄対象物を、液体洗浄剤組成物を２回スプレー後、５分間放置し、水中で各評価用洗浄対象物を濯ぎ、汚れ落ちの状態を観察し、以下の評価基準により洗浄力の評価を行った。評価は塗布直後および洗浄後の汚れ付着状態を撮影して対比した。
◎  ：泡の塗布面積に対し、汚れが５％未満残る。
○  ：泡の塗布面積に対し、汚れが５％以上３０％未満残る。
△  ：泡の塗布面積に対し、汚れが３０％以上５０％未満残る。
△×：泡の塗布面積に対し、汚れが５０％以上７０％未満残る。
×  ：泡の塗布面積に対し、汚れが７０％以上残る
【０１０８】
＜結果＞
評価結果を表１に示す。
【表１】
2017214464.tif 000006
【０１０９】
表１に示す結果から、実施例１、２のように、スプレーされた泡の泡比容が１５ｍＬ／ｇ以上であると、スプレーされた泡の泡比容が１５ｍＬ／ｇ未満の場合に比して、汚れへの付着性及び洗浄力が、向上することが判る。
【符号の説明】
【０１１０】
１  スプレー容器
２  容器本体
３  スプレイヤー
４  トリガー
９  シリンダー
１１ｅ  泡吐出口
【図１】
2017214464.tif 000008
【図２】
2017214464.tif 000009